(57)【要約】【課題】換気をするとともに採光をすることが可能となるようにする。【解決手段】ハブ２２と、ハブ２２に対して設けられた複数の羽根２５とを有し、建築物に対して設けられ、ハブ２２が回転することに伴って複数の羽根２５が回転することによって、建築物の内部と外部との間の空気の流通を促進する換気扇１０であって、ハブ２２及び羽根２５が透光性を有する。ハブ２２を回転させるためのモータ４０は、ハブ２２及び羽根２５とは重ならない位置に配設されている。換気扇１０の上流側のに設けられるフードも透光性を有する。【選択図】図２
2005127534.tif 000002
【特許請求の範囲】
【請求項１】
ハブと、そのハブに対して設けられた複数の羽根とを有し、建築物に対して設けられ、前記ハブが回転することに伴って前記複数の羽根が回転することによって、建築物の内部と外部との間の空気の流通を促進する換気扇であって、
前記羽根の少なくとも一部が透光性を有する、
換気扇。
【請求項２】
請求項１に記載の換気扇であって、
前記ハブを回転させるためのモータが、前記ハブ及び前記羽根とは重ならない位置に配設されている、
換気扇。
【請求項３】
円板部と、その円板部の周縁部の近傍に設けられた複数の羽根とを有し、建築物に対して設けられ、前記円板部が自身の中心軸線回りに回転することに伴って前記複数の羽根が回転することによって、建築物の内部と外部との間の空気の流通を促進する換気扇であって、
前記円板部の少なくとも一部が透光性を有する、
換気扇。
【請求項４】
請求項３に記載の換気扇であって、
前記円板部を回転させるためのモータが、前記円板部とは重ならない位置に配設されている、
換気扇。
【請求項５】
請求項１〜請求項４のいずれかに記載の換気扇を有する換気扇セットであって、
前記換気扇の上流側に位置する物体の少なくとも一部が透光性を有するものである、
換気扇セット。
【発明の詳細な説明】
【技術分野】
【０００１】
本発明は、換気扇に関するものである。
【背景技術】
【０００２】
近年、いわゆるシックハウスが問題となっている。シックハウスとは、住宅の建造の際に使用された有害の化学物質が揮発して、その住宅（特に建造された直後）に居住する人の健康を害する、というものである。
【０００３】
このようなシックハウス等の問題を解決するために、住宅の内部の空気を換気することの重要性が高まっている。
そして、建築基準法では、居室内については１時間に０．５回（２時間に１回）の割合で、その他の室内については１時間に０．３回（３時間２０分に１回）の割合で、空気がすべて入れ替わることが定められている。
室内の空気を換気するためには、換気扇を設けることが最も有効である。
【０００４】
一方、住宅については、採光（日光の取り入れ）の重要性も認識されている。採光のためには、窓を設ける必要がある。建築基準法では、各部屋においては床面積の１／８以上の窓が設けられることが定められている。
しかしながら、上述のように換気扇を設けることによって、窓を設けるためのスペースがその分制限されてしまう。
【発明の開示】
【発明が解決しようとする課題】
【０００５】
本発明は、建築物の内部の空気を換気できるとともに、採光も可能な換気扇を提供することを課題とする。
【課題を解決するための手段】
【０００６】
この課題を解決するために、請求項１に係る発明は、ハブと、そのハブに対して設けられた複数の羽根とを有し、建築物に対して設けられ、前記ハブが回転することに伴って前記複数の羽根が回転することによって、建築物の内部と外部との間の空気の流通を促進する換気扇であって、前記羽根の少なくとも一部が透光性を有する、換気扇である。
【０００７】
「透光性を有する」の代表例として、「透明」がある。「……の少なくとも一部が透光性を有する」の代表例として、「……のすべてが透光性を有する」がある。これらは、他の請求項においても同様である。
【０００８】
この発明の換気扇では、羽根の少なくとも一部が透光性を有するため、その部分を通して日光が当該建築物の内部に入射し得る。
このため、この発明の換気扇では、換気をするとともに採光をすることが可能となる。
【０００９】
請求項２に係る発明は、請求項１に係る発明の換気扇であって、前記ハブを回転させるためのモータが、前記ハブ及び前記羽根とは重ならない位置に配設されている、換気扇である。
【００１０】
この発明の換気扇では、請求項１に係る発明の換気扇の作用及び効果に加えて、次の作用及び効果が得られる。
すなわち、モータがハブ及び羽根とは重ならない位置に配設されているため、ハブ（透光性を有する場合）及び羽根を通過する日光がモータによって遮られることが防止され、確実に採光をすることができる。
【００１１】
請求項３に係る発明は、円板部と、その円板部の周縁部の近傍に設けられた複数の羽根とを有し、建築物に対して設けられ、前記円板部が自身の中心軸線回りに回転することに伴って前記複数の羽根が回転することによって、建築物の内部と外部との間の空気の流通を促進する換気扇であって、前記円板部の少なくとも一部が透光性を有する、換気扇である。
【００１２】
この発明の換気扇では、円板部の少なくとも一部が透光性を有するため、その部分を通して日光が当該建築物の内部に入射し得る。
このため、この発明の換気扇では、換気をするとともに採光をすることが可能となる。
【００１３】
請求項４に係る発明は、請求項３に係る発明の換気扇であって、前記円板部を回転させるためのモータが、前記円板部とは重ならない位置に配設されている、換気扇である。
【００１４】
この発明の換気扇では、請求項３に係る発明の換気扇の作用及び効果に加えて、次の作用及び効果が得られる。
すなわち、モータが円板部とは重ならない位置に配設されているため、円板部を通過する日光がモータによって遮られることが防止され、確実に採光をすることができる。
【００１５】
請求項５に係る発明は、請求項１〜請求項４のいずれかに係る発明の換気扇を有する換気扇セットであって、前記換気扇の上流側に位置する物体の少なくとも一部が透光性を有するものである、換気扇セット。
【００１６】
「上流側」とは、日光の入射を基準に表現したものである。「上流側の部分の物体」として、「フード」や「ダクト」等がある。
【００１７】
この発明の換気扇セットでは、換気扇の少なくとも一部が透光性を有するとともに、その上流側の物体の少なくとも一部が透光性を有するため、当該物体及び当該換気扇を通して、日光が当該建築物の内部に入射し得る。
こうして、確実に採光をすることができる。
【発明を実施するための最良の形態】
【００１８】
［実施形態１］
次に、本発明の実施形態１について、図１〜図４に基づいて説明する。
実施形態１は、住宅等の建築物の壁部に設けられる換気扇（換気扇セット）に関するものである。
この換気扇セットは、換気扇１０及びフード７０を有している。
【００１９】
換気扇１０は、換気扇本体２０及びフレーム３０を有している。
フレーム３０は、ほぼ正方形状をしており、中心部に円形の孔部３１が形成されている。孔部３１の大きさは、換気扇本体２０に対応している。
正確にいえば、フレーム３０は、四角形の枠状をなす四角枠部３２を有し、四角枠部３２の正面側及び裏面側には、その内側方向に向かうフランジ部（前側フランジ部３３ａ，後側フランジ部３３ｂ）が形成されており、各フランジ部３３ａ，３３ｂの内縁部によって円形の孔部３１が各々形成されている。
【００２０】
フレーム３０には、支持部３５が設けられている。支持部３５は、四角枠部３２の上辺部及び下辺部（いずれも符号省略）の中央部同士を連結している。
支持部３５の中央部（フレーム３０の中心部に該当する）には、軸受け材３６が設けられている。
【００２１】
換気扇本体２０は、ハブ２２を有し、ハブ２２に対して複数枚（例えば４枚）の羽根２５が設けられている。
ハブ２２には回転軸２３が設けられており、回転軸２３は軸受け材３６に対して回転可能に挿通されている。逆にいうと、回転軸２３は軸受け材３６によって位置固定的に回転可能に支持されている。
回転軸２３のうちのハブ２２とは反対側の端部には、プーリ２８が固定されている。
【００２２】
フレーム３０の一角部には、モータ４０が配設されている。こうして、モータ４０は、換気扇本体２０（ハブ２２及び羽根２５）と重ならない位置に配設されている。
モータ４０は、前側フランジ部３３ａに対して固定されている。モータ４０の回転軸（符号省略）にはプーリ４２が固定されており、プーリ４２とプーリ２８との間には、ベルト４４が掛け渡されている。
こうして、モータ４０の駆動によって、換気扇本体２０が回転する。すなわち、モータ４０（その回転軸）の回転が、プーリ４２，ベルト４４，プーリ２８を経て、回転軸２３に伝達され、換気扇本体２０が回転する。
【００２３】
住宅等の建築物の壁部Ｗには貫通孔部ＷＨが形成され、貫通孔部ＷＨには取付用枠材６０が嵌合され固定される。
そして、換気扇１０は、取付用枠材６０に対して嵌合され固定されて、壁部Ｗに配設される。
【００２４】
フード７０は、換気扇１０（取付用孔部３１）に対応して、住宅等の建築物の壁部Ｗの外側に設けられる。
フード７０は、一対の側壁部７１と、円弧状の曲面をなす屋根部７２とを有し、下方に向けて開口している。
【００２５】
そして、換気扇１０の羽根２５は、透明の合成樹脂によって形成されている。ハブ２２も、透明の樹脂によって形成されている。
フレーム３０の支持部３５も、透明の合成樹脂によって形成されている。また、フレーム３０のフランジ部３３ａ，３３ｂも、透明の合成樹脂によって形成されていてもよい。さらには、フレーム３０の四角枠部３２も、透明の合成樹脂によって形成されていてもよい。
また、フード７０も、透明の合成樹脂によって形成されている。
【００２６】
以上のため、日光は、フード７０及び羽根２５等を通して住宅等の建築物の内部に入射する。
すなわち、この換気扇１０では、建築物の内部の空気を換気できるとともに、採光も可能であり、スペースを効率良く使用することができる。
【００２７】
［実施形態２］
次に、本発明の実施形態２について、図５〜図８に基づいて説明する。
実施形態２は、住宅等の建築物の天井部に設けられる換気扇（換気扇セット）に関するものである。
この換気扇セットは、換気扇１１０及びダクト１７０を有している。
【００２８】
この換気扇１１０は、換気扇本体１２０及びフレーム１３０を有している。
フレーム１３０は、四角形の枠状をなす四角枠部１３２を有し、四角枠部１３２の下面側には、その内側方向に向かうフランジ部１３３が形成されており、フランジ部１３３の内縁部によって円形の孔部１３１が形成されている。孔部１３１の大きさは、換気扇本体１２０に対応している。
【００２９】
フレーム１３０（四角枠部１３２）には、支持部１３５が設けられている。支持部１３５は、四角枠部１３２の一対の相対向する辺部の中央部（正確には、フランジ部１３３のうちの当該部分に対応する部分）同士を連結している。
支持部１３５の長さ方向の中央部（フレーム１３０の中心部に該当する）には、軸受け材１３６が設けられている。
【００３０】
換気扇本体１２０は、シロッコファンといわれるものである。
換気扇本体１２０は、円板部（歯車状円板部）１２２を有している。円板部（歯車状円板部）１２２の下面側のうちの周縁部の近傍には、多数の羽根１２５が設けられている。各羽根１２５は下方（軸線方向）に延びるとともに、遠心方向に向かうにつれて一円周方向に向かうように湾曲しつつ斜めに延びている。
【００３１】
円板部（歯車状円板部）１２２の周縁部には、多数の歯が形成されている。
歯車状円板部１２２には回転軸１２３が設けられており、回転軸１２３は軸受け材１３６に対して回転可能に挿通されている。逆にいうと、回転軸１２３は軸受け材１３６によって位置固定的に回転可能に支持されている。
【００３２】
フレーム１３０の一角部には、モータ１４０が配設されている。こうして、モータ１４０は、換気扇本体１２０（歯車状円板部１２２）と重ならない位置に配設されている。
モータ１４０は、フランジ部１３３に対して固定されている。モータ１４０の回転軸には歯車１４２が固定されており、歯車１４２と歯車状円板部１２２とはかみ合わされている。
こうして、モータ１４０の駆動によって、換気扇本体１２０が回転する。すなわち、モータ１４０（その回転軸）の回転が、歯車１４２，歯車状円板部１２２を経て、換気扇本体１２０に伝達され、換気扇本体１２０が回転する。
【００３３】
住宅等の建築物の天井部Ｃには貫通孔部ＣＨが形成され、貫通孔部ＣＨにはダクト１７０（その下端部）が嵌合されて固定される。
ダクト１７０は、上方に向かい、当該住宅等の建築物の屋根部Ｒを貫通しており、その上端部はダクト屋根部１７２によって塞がれている。ダクト１７０の上端部の近傍には、通気孔部１７５が形成されている。
【００３４】
そして、換気扇１１０の歯車状円板部１２２は、透明の合成樹脂によって形成されている。各羽根１２５も、透明の樹脂によって形成されている。
フレーム１３０の支持部１３５も、透明の合成樹脂によって形成されている。また、フレーム１３０のフランジ部１３３も、透明の合成樹脂によって形成されていてもよい。さらには、フレーム１３０の四角枠部１３２も、透明の合成樹脂によって形成されていてもよい。
また、ダクト１７０のダクト屋根部１７２も、透明の合成樹脂又はガラスによって形成されている。ダクト１７０の内面は、光反射面（鏡面）とされていてもよい。
【００３５】
以上のため、日光は、ダクト屋根部１７２及び歯車状円板部１２２等を通して住宅等の建築物の内部に入射する。ダクト１７０の内面が光反射面（鏡面）とされている場合には、ダクト屋根部１７２からダクト内に入射した日光がダクト１７０の内面を反射して下降し、換気扇１１０（歯車状円板部１２２等）を通して、住宅等の建築物の内部に入射する。
このように、この換気扇１１０でも、建築物の内部の空気を換気できるとともに、採光も可能であり、スペースを効率良く使用することができる。
【００３６】
なお、上記のものはあくまで本発明の数例の実施形態にすぎず、当業者の知識に基づいて種々の変更を加えた態様で本発明を実施できることはもちろんである。
【図面の簡単な説明】
【００３７】
【図１】本発明の実施形態１の換気扇等を示す斜視図である。
【図２】本発明の実施形態１の換気扇を示す平面図である。
【図３】本発明の実施形態１の換気扇を示す断面図である。図２中のIII−III線で切断した図である。
【図４】本発明の実施形態１の換気扇等の取付状態を示す断面図である。
【図５】本発明の実施形態２の換気扇等を示す斜視図である。
【図６】本発明の実施形態２の換気扇を示す平面図である。
【図７】本発明の実施形態２の換気扇を示す断面図である。図６中のVII−VII線で切断した図である。
【図８】本発明の実施形態２の換気扇等の取付状態を示す断面図である。
【符号の説明】
【００３８】
１０  換気扇
２２  ハブ
２５  羽根
４０  モータ
７０  フード
１１０  換気扇
１２２  歯車状円板部（円板部）
１２５  羽根
１４０  モータ
１７０  ダクト
【図１】
2005127534.tif 000003
【図２】
2005127534.tif 000004
【図３】
2005127534.tif 000005
【図４】
2005127534.tif 000006
【図５】
2005127534.tif 000007
【図６】
2005127534.tif 000008
【図７】
2005127534.tif 000009
【図８】
2005127534.tif 000010